(57)【要約】【課題】ディスプレイパネルの品種切り替えに必要となる作業時間を低減し、生産性の高いディスプレイパネルの点灯検査装置を実現することを目的とする。【解決手段】複数の引出し電極を有する電極端子ブロックを複数配置してなるディスプレイパネル１０の点灯検査装置において、前記ディスプレイパネル１０の引出し電極に接触する接触子をディスプレイパネル１０の電極端子ブロックに対応して配設して構成したパネル載置点灯ユニットと、接触子をディスプレイパネル１０の電極端子ブロックに押し付ける接続ユニットと、この接続ユニットをディスプレイパネル１０の電極端子ブロックの配列方向およびこの配列方向に直交する方向に移動可能に保持するスライドユニット１６とで構成し、複数の接続ユニットのうち未使用の接続ユニットを待機させる待機部１８を設けた。【選択図】  図５
2004347344.tif 000002
【特許請求の範囲】
【請求項１】
複数の引出し電極を有する電極端子ブロックを複数配置してなるディスプレイパネルの点灯検査装置において、前記ディスプレイパネルが載置される本体ベースと、この本体ベース上のディスプレイパネルの引出し電極それぞれに電気的に接触する複数の取出し電極を有する接触子を前記ディスプレイパネルの電極端子ブロックに対応して複数個配設して構成したパネル載置点灯ユニットと、前記本体ベースに移動可能に配設されかつ前記ディスプレイパネルの電極端子ブロックに前記接触子を押し付けてディスプレイパネルの引出し電極に接触子の取出し電極を接触させる接続制御ブロックとを備え、前記接続制御ブロックは、前記接触子をディスプレイパネルの電極端子ブロックに押し付ける複数の接続ユニットと、この接続ユニットをディスプレイパネルの電極端子ブロックの配列方向およびこの配列方向に直交する方向に移動可能に保持するスライドユニットとで構成し、かつ前記複数の接続ユニットのうち前記接触子の押し付けに使用しない未使用の接続ユニットを待機させる待機部を設けたことを特徴とするディスプレイパネルの点灯検査装置。
【請求項２】
パネル載置点灯ユニットは、複数個の接触子をディスプレイパネルの電極端子ブロックに対応させて配設するとともにディスプレイパネルを点灯表示させるための点灯信号発生手段を配設して構成し、このパネル載置点灯ユニットにディスプレイパネルを載置することを特徴とする請求項１記載のディスプレイパネルの点灯検査装置。
【請求項３】
スライドユニットは、本体ベース上に配設されかつディスプレイパネルの電極端子ブロックの配列方向またはこの配列方向に直交する方向に移動可能な第１のスライドユニットと、この第１のスライドユニットに搭載するとともに前記第１のスライドユニットによる移動方向と直交する方向に移動可能でかつ接続ユニットが搭載される第２のスライドユニットとで構成したことを特徴とする請求項１記載のディスプレイパネルの点灯検査装置。
【発明の詳細な説明】
【０００１】
【発明の属する技術分野】
本発明は、液晶ディスプレイやプラズマディスプレイなどのディスプレイパネルに駆動回路を組み合わせる前に、ディスプレイパネルに点灯信号を入力して表示し、画質検査を行うディスプレイパネルの点灯検査装置に関する。
【０００２】
【従来の技術】
一般に、液晶ディスプレイやプラズマディスプレイなどのディスプレイパネルはパネルに駆動回路が実装され製品化される。製造工程では、実装工程への不良パネルの流出を防ぐため、駆動回路実装前に点灯信号を入力し、点灯検査を行っている。
【０００３】
図９は、従来のディスプレイパネルの点灯検査装置のブロック図である。ディスプレイパネルの点灯検査装置は、パネル保持部１およびパネル保持部１にセットされるディスプレイパネルを点灯させるための駆動回路２とを備えたパネル検査部３と、駆動回路２へ電源を供給する電源４と、駆動回路２へ信号を供給する信号発生装置５と、電源４および信号発生装置５を制御するパーソナルコンピュータ等の制御装置６で構成されている。
【０００４】
この種のディスプレイパネルの点灯検査装置として、検査用プローブピンを用いたもの（特許文献１参照）が知られているが、この検査用プローブピンに代えて、フレキシブルプリント回路（ＦＰＣ）に形成した電極を点灯検査用のプローブとして用いることも考えられている。
【０００５】
【特許文献１】
特許第２９５３０３９号公報
【０００６】
【発明が解決しようとする課題】
一般に、ディスプレイパネルは表示領域に複数本の電極を有しており、そしてその表示エリア外の端部には、前記電極を延長するとともに間隔を狭くすることにより、複数の引出し電極を有する電極端子ブロックが複数配置されている。このディスプレイパネルの引出し電極における電極のピッチは、例えば、４２型のプラズマディスプレイパネルのアドレス電極を例に挙げれば、３００μｍ程度の電極間ピッチとなる。
【０００７】
そして、ＦＰＣを点灯検査用のプローブとして用いる検査方法においては、このようなディスプレイパネルの引出し電極に、ＦＰＣからなる点灯検査用のプローブの取出し電極を接触させ、このプローブを通してディスプレイパネルに通電を行って点灯させることにより、点灯検査を行っている。
【０００８】
しかしながら、このようなＦＰＣを用いた検査方法の場合、検査対象となるディスプレイパネルの品種切り替えを行う場合、例えば、ディスプレイパネルとして品種の異なるディスプレイパネルを検査しようとする場合には、引出し電極のピッチや電極本数が異なるため、その引出し電極に合わせて、ＦＰＣからなるプローブの取出し電極のピッチや電極本数を変更する必要が生じる。
【０００９】
このとき、数十個のプローブを高い精度で位置決めする必要があるため、品種切り替え及び調整作業に３〜４時間程度必要となり、品種切り替えの頻度が多くなると、点灯検査装置の稼働率が低下し、生産性が悪化するという課題が発生していた。
【００１０】
本発明は、このような課題に鑑みなされたもので、ディスプレイパネルの品種切り替えに必要となる作業時間を低減し、生産性の高いディスプレイパネルの点灯検査装置を実現することを目的とする。
【００１１】
【課題を解決するための手段】
上記課題を解決するために本発明は、複数の引出し電極を有する電極端子ブロックを複数配置してなるディスプレイパネルの点灯検査装置において、前記ディスプレイパネルの引出し電極それぞれに電気的に接触する複数の取出し電極を有する接触子を前記ディスプレイパネルの電極端子ブロックに対応して複数個配設して構成したパネル載置点灯ユニットを備えたもので、そのパネル載置点灯ユニットを、予め検査対象となるディスプレイパネルの品種に応じて複数種類準備しておき、品種切り替え時にパネル載置点灯ユニット自体を交換することにより、品種切り替え及び調整作業に必要となる作業時間を低減することができる。
【００１２】
また、前記ディスプレイパネルの電極端子ブロックに前記接触子を押し付けてディスプレイパネルの引出し電極に接触子の取出し電極を接触させる接続制御ブロックを有し、前記接続制御ブロックは、前記接触子をディスプレイパネルの電極端子ブロックに押し付ける複数の接続ユニットと、この接続ユニットをディスプレイパネルの電極端子ブロックの配列方向およびこの配列方向に直交する方向に移動可能に保持するスライドユニットとで構成し、かつ前記複数の接続ユニットのうち前記接触子の押し付けに使用しない未使用の接続ユニットを待機させる待機部を設けたもので、電極端子ブロックの個数が異なる複数のディスプレイパネルの点灯検査において、接続ユニットを移動させて使用する接続ユニットの個数を調整することにより、１台の検査装置で対応可能である。
【００１３】
【発明の実施の形態】
すなわち、本発明の請求項１に記載の発明は、複数の引出し電極を有する電極端子ブロックを複数配置してなるディスプレイパネルの点灯検査装置において、前記ディスプレイパネルが載置される本体ベースと、この本体ベース上のディスプレイパネルの引出し電極それぞれに電気的に接触する複数の取出し電極を有する接触子を前記ディスプレイパネルの電極端子ブロックに対応して複数個配設して構成したパネル載置点灯ユニットと、前記本体ベースに移動可能に配設されかつ前記ディスプレイパネルの電極端子ブロックに前記接触子を押し付けてディスプレイパネルの引出し電極に接触子の取出し電極を接触させる接続制御ブロックとを備え、前記接続制御ブロックは、前記接触子をディスプレイパネルの電極端子ブロックに押し付ける複数の接続ユニットと、この接続ユニットをディスプレイパネルの電極端子ブロックの配列方向およびこの配列方向に直交する方向に移動可能に保持するスライドユニットとで構成し、かつ前記複数の接続ユニットのうち前記接触子の押し付けに使用しない未使用の接続ユニットを待機させる待機部を設けたことを特徴とする。
【００１４】
また、請求項２に記載の発明は、請求項１において、パネル載置点灯ユニットは、複数個の接触子をディスプレイパネルの電極端子ブロックに対応させて配設するとともにディスプレイパネルを点灯表示させるための点灯信号発生手段を配設して構成し、このパネル載置点灯ユニットにディスプレイパネルを載置することを特徴とする。
【００１５】
さらに、請求項３に記載の発明は、請求項１において、スライドユニットは、本体ベース上に配設されかつディスプレイパネルの電極端子ブロックの配列方向またはこの配列方向に直交する方向に移動可能な第１のスライドユニットと、この第１のスライドユニットに搭載するとともに前記第１のスライドユニットによる移動方向と直交する方向に移動可能でかつ接続ユニットが搭載される第２のスライドユニットとで構成したことを特徴とする。
【００１６】
以下、本発明の一実施の形態によるディスプレイパネルの点灯検査装置について、図１〜図８の図面を用いて説明する。
【００１７】
図１に本発明の一実施の形態による点灯検査装置の全体構成を示し、図２〜図７にその要部構成を示している。図において、１０はプラズマディスプレイパネルなどのディスプレイパネルで、このディスプレイパネル１０の周辺端部には、図２に示すように、電極１０１を延長することにより形成された複数の引出し電極１０２を有する電極端子ブロック１０３が複数配置されている。
【００１８】
１１はこのディスプレイパネル１０の点灯検査を行うときにディスプレイパネル１０が配置されるパネル載置点灯ユニットで、このパネル載置点灯ユニット１１は、点灯検査装置の本体ベース１２上に、点灯ユニット台１３により位置決めするとともに保持した状態で載置されている。また、この本体ベース１２上には、前記ディスプレイパネル１０がパネル載置点灯ユニット１１の所定の位置に配置されるように、ディスプレイパネル１０の保持位置を調整するためのパネル保持手段１４が配設されている。さらに、前記本体ベース１２上には、図１の矢印方向に移動可能な接続制御ブロック１５が配設されている。なお、図１では、ディスプレイパネル１０の一つの角を中心とした両側の辺に対応する２個所の位置に接続制御ブロック１５を配置した例を示しているが、これはディスプレイパネル１０の電極端子ブロック１０３をどの辺に設けるかによって適宜変更するものである。また、図１に示す例では、ディスプレイパネル１０の長辺側と短辺側とで、電極端子ブロック１０３を表裏を反対にして設けており、図１においては、長辺側の電極端子ブロック１０３が上側にあり、短辺側の電極端子ブロック１０３が下側になるように配設されている。
【００１９】
前記パネル載置点灯ユニット１１は、図３（ａ）、（ｂ）に示すように、前記ディスプレイパネル１０が配置される固定プレート１１１に前記電極端子ブロック１０３に対応して接触子１１２を複数個配設することにより構成されている。この接触子１１２は、図２に示すように、前記ディスプレイパネル１０の引出し電極１０２それぞれに電気的に接触する複数の取出し電極１１３を有しており、絶縁性のフィルム間に銅箔などの導電性パターンを形成したフレキシブルプリント配線板により構成されている。
【００２０】
１１４は複数の接触子１１２それぞれを固定プレート１１１に調整可能な所定の間隔で保持して配設するための複数の保持ブロックで、この保持ブロック１１４は、前記固定プレート１１１に、保持ブロック１１４の配列方向に移動可能なように取り付けられている。また、このパネル載置点灯ユニット１１には、ディスプレイパネル１０を点灯表示させるための点灯信号発生手段１１５が配設され、その点灯信号発生手段１１５と前記接触子１１２とは、配線手段１１６を介して接続されている。１１７は位置決め手段で、後述する接続制御ブロック１５の接続ユニット１７を接触子１１２それぞれに対応する所定の位置に位置決めするためのものである。
【００２１】
前記接続制御ブロック１５は、図４に示すように、本体ベース１２上に矢印方向に移動可能に配設したスライドユニット１６と、このスライドユニット１６上に搭載され、前記パネル載置点灯ユニット１１に配置されたディスプレイパネル１０の電極端子ブロック１０３に前記接触子１１２を押し付けてディスプレイパネル１０の引出し電極１０２に接触子１１２の取出し電極１１３を接触させる複数個の接続ユニット１７とから構成されている。また、接続ユニット１７は、先端部が開閉自在となるように軸１７１により軸支した押えユニット１７２および受けユニット１７３と、前記押えユニット１７２を軸１７１を中心に回動させる可動機構部１７４とにより構成されており、そしてこの接続ユニット１７は前記スライドユニット１６上に軸１７５により可動可能なように軸支されて搭載されている。
【００２２】
前記スライドユニット１６は、接続ユニット１７をディスプレイパネル１０の電極端子ブロック１０３の配列方向およびこの配列方向に直交する方向に移動可能に保持するもので、このスライドユニット１６は、本体ベース１２上に配設されかつディスプレイパネル１０の電極端子ブロック１０３の配列方向に直交する方向に移動可能な第１のスライドユニット１６１と、この第１のスライドユニット１６１に搭載するとともに前記第１のスライドユニット１６１による移動方向と直交する方向、すなわちディスプレイパネル１０の電極端子ブロック１０３の配列方向に移動可能でかつ複数個の接続ユニット１７に対応して設けられ複数個の接続ユニット１７がそれぞれ搭載される複数個の第２のスライドユニット１６２とで構成されている。
【００２３】
前記第１のスライドユニット１６１は、スライドプレート１６１ａと、このスライドプレート１６１ａを移動可能に保持しかつ本体ベース１２に配設したスライドガイド１６１ｂとで構成され、また前記第２のスライドユニット１６２は、接続ユニット１７が搭載されるスライドプレート１６２ａと、このスライドプレート１６２ａを移動可能に保持しかつ前記第１のスライドガイド１６１のスライドプレート１６１ａ上に配設されたスライドガイド１６２ｂとで構成されている。
【００２４】
図５（ａ）、（ｂ）は接続制御ブロック１５を上方より見た平面図であり、接続ユニット１７を省略し、スライドユニット１６部分のみを示している。また、図５（ａ）は長辺側に７個の電極端子ブロック１０３を、短辺側に６個の電極端子ブロック１０３をそれぞれ配置したディスプレイパネル１０を検査する場合の状態を示す図で、図５（ｂ）は長辺側に５個の電極端子ブロック１０３を、短辺側に４個の電極端子ブロック１０３をそれぞれ配置したディスプレイパネル１０を検査する場合の状態を示す図である。
【００２５】
すなわち、この図５（ａ）、（ｂ）に示すように、ディスプレイパネル１０の長辺側に対応する接続制御ブロック１５側には、複数の接続ユニット１７のうち前記接触子１１４の押し付けに使用しない未使用の接続ユニット１７を待機させる待機部１８を設けたもので、図５（ｂ）の場合には、２個の接続ユニット１７が第２のスライドユニット１６２を移動させることにより、待機させられている。
【００２６】
なお、図５（ａ）、（ｂ）に示すように、ディスプレイパネル１０の短辺側に対応する接続制御ブロック１５側には、未使用の接続ユニット１７を待機させる待機部１８を配設していない。その代わりに、図６に示すように、接続ユニット１７の押えユニット１７２の先端の押えプレート１７２ａを着脱自在な構造とし、図５（ａ）に示すように、接続ユニット１７の個数以上の電極端子ブロック１０３を有するディスプレイパネル１０の場合は、先端の押えプレート１７２ａを幅広の押えプレート１７２ａに交換し、１個の接続ユニット１７により複数個（図５の場合は２個）の電極端子ブロック１０３に接触する接触子１１２を押し付けるように構成している。この場合、先端の押えプレート１７２ａは２個の接触子１１２を挟持できる全長を有する必要があり、２個の接触子１１２を同時に挟持する場合、１個当りの挟持力は、１個の接触子１１２を挟持する場合に比べ半分となるため、挟持力が不足する場合には、接続ユニット１７の挾持力を上げて挟持を行うように構成するのが望ましい。
【００２７】
次に、上記構成の点灯検査装置の動作について説明する。
【００２８】
図１において、検査対象のディスプレイパネル１０をパネル保持手段１４に装着し、点灯検査する場合、接続制御ブロック１５においては、まず、図７（ａ）に示すように、接続ユニット１７とディスプレイパネル１０との干渉を避けるため、接続ユニット１７を配設したスライドユニット１６が干渉しない方向に移動する。この時、接触子１１２および点灯信号発生手段１１５は、スライドユニット１６とは分離されたパネル載置点灯ユニット１１に設置されているため、スライドユニット１６と一体に移動することはない。
【００２９】
ディスプレイパネル１０が装着された後、接続ユニット１７を配設したスライドユニット１６は、先程とは逆方向に一体に移動し、この移動後、図４に示すように、可動機構部１７４により接続ユニット１７の押えユニット１７２が回動して、受けユニット１７３との間にディスプレイパネル１０とパネル載置点灯ユニット１１の接触子１１２を挟み込むことにより、ディスプレイパネル１０の引出し電極１０２と接触子１１２の取出し電極１１３が電気的に接触する。このとき、パネル載置点灯ユニット１１の接触子１１２の取出し電極１１３とディスプレイパネル１０の引出し電極１０２とは、点灯信号発生手段１１５と接触子１１２と保持ブロック１１４が移動せずに、同じ位置にあるため、設置されたディスプレイパネル１０に対して精度良く、一定の位置に位置決めされた状態で接触することとなる。
【００３０】
以上の動作後、点灯信号発生手段１１５からは、パネル載置点灯ユニット１１の接触子１１２を介して点灯信号がディスプレイパネル１０に供給され、点灯表示が行われる。検査終了後は、上記動作とは逆の動作で、まず接続制御ブロック１５の接続ユニット１７によるディスプレイパネル１０とパネル載置点灯ユニット１１との挟持状態を解除した後、ディスプレイパネル１０と接続ユニット１７が干渉しないようにするために、図７（ａ）に示すように、スライドユニット１６をパネル載置点灯ユニット１１から離れる方向に移動させ、図７（ｂ）に示すようにディスプレイパネル１０の取り外しが行われる。以降は、次の検査対象のディスプレイパネル１０の装着が行われ、検査が繰り返し行われる。
【００３１】
ところで、検査対象となるディスプレイパネル１０の品種切り替えを行う場合、例えば、品種の異なるディスプレイパネル１０では、電極端子ブロック１０３のピッチや電極本数等が異なるため、その電極端子ブロック１０３に合わせて、パネル載置点灯ユニット１１の接触子１１２上に形成する取出し電極１１３のピッチや電極本数を変更する必要が生じる。このため、品種変更を行う場合は、パネル載置点灯ユニット１１の接触子１１２を検査対象となるディスプレイパネル１０の電極端子部の形状に合わせて取り付け交換をする必要がある。
【００３２】
本発明の点灯検査装置では、それぞれの品種のディスプレイパネル１０の電極端子ブロック１０３の電極本数と電極ピッチ等に合わせて、例えば図８に示すように、図３に示すものとは異ならせて、接触子１１２や点灯信号発生手段１１５を所定の位置に配設したパネル載置点灯ユニット１１を用意し、パネル載置点灯ユニット１１の接触子１１２の取り付け位置が所定の位置になるように保持ブロック１１４の位置をあらかじめ調整しておけば、品種切り替えの際には、品種毎に調整したパネル載置点灯ユニット１１を点灯ユニット台１３に載置すればよく、品種切り替え及び調整作業に必要となる作業時間を低減することができる。
【００３３】
このディスプレイパネル１０の品種切り替えの手順としては、まず、図７（ａ）に示すように、接続制御ブロック１５がパネル載置点灯ユニット１１と干渉しないように、スライドユニット１６を待避移動した状態で、パネル載置点灯ユニット１１を上方に取り出し、点灯ユニット台１３から取り外す。
【００３４】
次に、新しく検査したいディスプレイパネル１０に合わせた品種のパネル載置点灯ユニット１１を準備し、点灯ユニット台１３に、位置決めして配置する。そして、第１のスライドユニット１６１を交換する品種の大きさに合わせて、前後に移動させ、所定の位置で位置決めする。次に、接続ユニット１７をパネル載置点灯ユニット１１の接触子１１２のピッチと合わせるため、第２のスライドガイド１６２を左右に移動させ、パネル載置点灯ユニット１１の位置決め手段１１７により接続ユニット１７を所定の位置に位置決めする。これらの第１、第２のスライドユニット１６１、１６２の移動は、外部より図示しないシリンダー等を介して移動させても良いし、手動にて移動させてもよい。
【００３５】
ここで、接続制御ブロック１５の複数の接続ユニット１７のうち、接触子１１２の押し付けに使用しない未使用の接続ユニット１７を待機させる待機部１８を設けており、電極端子ブロック１０３の個数が異なる複数のディスプレイパネル１０の点灯検査において、接続ユニット１７を移動させて使用する接続ユニット１７の個数を調整することにより、１台の検査装置で対応可能である。
【００３６】
すなわち、ディスプレイパネル１０の長辺側に対応する接続制御ブロック１５側には、複数の接続ユニット１７のうち前記接触子１１４の押し付けに使用しない未使用の接続ユニット１７を待機させる待機部１８を設けており、図３に示す大きさのパネル載置点灯ユニット１１を使用する場合から、図８に示すパネル載置点灯ユニット１１を使用する場合は、図５（ｂ）のように、２個の接続ユニット１７を待機部１８に移動させ、待機させるようにし、また逆の場合は待機部１８から接続ユニット１７を引き出して所定の位置に位置決めして配置すればよい。
【００３７】
これらの手順により、所定の品種のパネル載置点灯ユニット１１の接触子１１２の位置に合わせて、接続ユニット１７の位置合わせが完了し、品種切替えが完了する。
【００３８】
以上説明したように本実施の形態によれば、ディスプレイパネル１０の引出し電極１０２それぞれに電気的に接触する複数の取出し電極１１３を有する接触子１１２を前記ディスプレイパネル１０の電極端子ブロック１０３に対応して複数個配設して構成したパネル載置点灯ユニット１１を備えたもので、そのパネル載置点灯ユニット１１を、予め検査対象となるディスプレイパネル１０の品種に応じて複数種類準備しておき、品種切り替え時にパネル載置点灯ユニット１１自体を交換することにより、品種切り替え及び調整作業に必要となる作業時間を低減することができる。
【００３９】
また、複数の接続ユニット１７のうち前記接触子１１２の押し付けに使用しない未使用の接続ユニット１７を待機させる待機部１８を設けており、電極端子ブロック１０３の個数が異なる複数のディスプレイパネル１０の点灯検査において、接続ユニット１７を移動させて使用する接続ユニット１７の個数を調整することにより、１台の検査装置で対応可能である。
【００４０】
なお、本実施の形態においては、ディスプレイパネル１０の短辺側、長辺側それぞれ一辺づつに対応する接触子１１２を用いた例で説明したが、全ての辺の電極端子ブロック１０３に対応するように接触子１１２を配置してもよい。また、本実施の形態においては、パネル保持手段１４をディスプレイパネル１０の中央付近を保持するように本体ベース１２に配置した、パネル載置点灯ユニット１１およびその他の構造物に干渉しない位置であれば、ディスプレイパネル１０の四隅を保持するように配置してもよい。さらに、パネル載置点灯ユニット１１についても、点灯ユニット台１３で四隅を規正して支持しているが、パネル載置点灯ユニット１１の各辺部分を規正支持してもよい。
【００４１】
また、本実施の形態においては、接触子１１２にフレキシブルプリント配線板を用いたが、ディスプレイパネル１０の引出し電極１０２と接触させる取出し電極１１３を形成する部分にリジットなプリント基板等を用い、このプリント基板とディスプレイパネル１０の引出し電極１０２とを接触させる構成としてもよい。さらに、パネル載置点灯ユニット１１は、同一の固定プレート１１１に複数の接触子１１２と保持ブロック１１４を取り付けて構成したが、必要に応じて、一台の点灯検査装置に複数の固定プレート１１１を配設し、それぞれの固定プレート１１１に接触子１１２と保持ブロック１１４を分割して配設し、パネル載置点灯ユニット１１を構成してもよい。
【００４２】
また、上記実施の形態においては、第１のスライドユニット１６１を、ディスプレイパネル１０の電極端子ブロック１０３の配列方向に直交する方向に移動可能としたが、第１のスライドユニット１６１をディスプレイパネル１０の電極端子ブロック１０３の配列方向に移動可能としてもよく、第２のスライドユニット１６２と同様に、接続ユニット１７に対応させて複数個配設してもよい。
【００４３】
【発明の効果】
以上のように本発明によれば、ディスプレイパネルの点灯検査において、パネル載置点灯ユニットを予め検査対象となるディスプレイパネルの品種に応じて複数種類準備しておき、品種切り替え時にパネル載置点灯ユニット自体を交換することにより、位置調整作業を簡略化でき、品種切り替え時間が大幅に短縮することができる。また、スライドユニットに配設した接続ユニットの位置調整作業がパネル載置点灯ユニットの個々の接触子に合わせて容易に行え、品種切替え作業時間をより短縮することができる。
【００４４】
特に、本発明では、多品種少量生産等の品種切り替えを頻繁に行う必要がある場合、品種切り替え時間を大幅に短縮できることにより、装置の稼働率を向上させることができ、ディスプレイパネルの点灯検査における生産性を向上させることができる。
【図面の簡単な説明】
【図１】本発明の一実施の形態におけるディスプレイパネルの点灯検査装置の全体構成を示す斜視図
【図２】同装置の要部構成を示す平面図
【図３】（ａ）、（ｂ）は同装置のパネル載置点灯ユニットの構成を示す平面図および側面図
【図４】同装置の接続制御ブロックの構成を示す側面図
【図５】（ａ）、（ｂ）は同装置の要部構成を示す平面図
【図６】同装置の接続制御ブロックの構成を示す側面図
【図７】（ａ）、（ｂ）は同装置のパネル載置点灯ユニット交換時の状況を示す側面図
【図８】パネル載置点灯ユニットの別の例を示す平面図
【図９】ディスプレイパネルの点灯検査装置における概略構成を示すブロック図
【符号の説明】
１０  ディスプレイパネル
１１  パネル載置点灯ユニット
１２  本体ベース
１５  接続制御ブロック
１６  スライドユニット
１７  接続ユニット
１８  待機部
１０２  引出し電極
１０３  電極端子ブロック
１１１  固定プレート
１１２  接触子
１１３  取出し電極
１１５  点灯信号発生手段
１６１  第１のスライドユニット
１６２  第２のスライドユニット
【図１】
2004347344.tif 000003
【図２】
2004347344.tif 000004
【図３】
2004347344.tif 000005
【図４】
2004347344.tif 000006
【図５】
2004347344.tif 000007
【図６】
2004347344.tif 000008
【図７】
2004347344.tif 000009
【図８】
2004347344.tif 000010
【図９】
2004347344.tif 000011